(57)【要約】【課題】カーテンや暖簾などの残留針を調べるのに検針機が使用できて、容易に取り外しができ、かしめるための道具が不用なプラスチック製の鳩目を提供する。【解決手段】雄体１１の面側に、環状の平面部１２、環状の凸部１３、環状の平面部１５を設ける。環状の凸部１３の先部に環状の膨出部１４を設ける。雌体２１の面側に、環状の平面部２２、環状の凹部２３、環状の平面部２５を設ける。環状の凹部２３の底部に環状の広がり部２４を設ける。環状の平面部１５の外縁に１以上の窪み部１６を設けるか、あるいは、環状の平面部２５の外縁に１以上の窪み部２６を設けるか、あるいは、環状の平面部１５の外縁と環状の平面部２５の外縁双方に、１以上の窪み部１６，２６をそれぞれ設ける。【選択図】  図４
2005007124.tif 000002
【特許請求の範囲】
【請求項１】
下記の要件を備えて成ることを特徴とするプラスチック製の鳩目。
（ア）雌体２１と重ね合わせる雄体１１の面側に、環状の平面部１２、環状の凸部１３、環状の平面部１５を設ける。
（イ）環状の凸部１３の先部に環状の膨出部１４を設ける。
（ウ）雄体１１と重ね合わせる雌体２１の面側に、環状の平面部２２、環状の凹部２３、環状の平面部２５を設ける。
（エ）環状の凹部２３の底部に環状の広がり部２４を設ける。
（オ）環状の平面部１５の外縁に１以上の窪み部１６を設けるか、あるいは、環状の平面部２５の外縁に１以上の窪み部２６を設けるか、あるいは、環状の平面部１５の外縁と環状の平面部２５の外縁双方に、それぞれ１以上の窪み部１６，２６を設ける。
（カ）雄体１１が形成する穴３０から雄体１１に設けた環状の平面部１５の外縁方向に、環状の平面部１２、環状の凸部１３、環状の平面部１５、窪み部１６を順に位置させる。
（キ）雌体２１が形成する穴３０から雌体２１に設けた環状の平面部２５の外縁方向に、環状の平面部２２、環状の凹部２３、環状の平面部２５、窪み部２６を順に位置させる。
（ク）環状の平面部１２と環状の平面部２２、環状の凸部１３と環状の凹部２３、環状の平面部１５と環状の平面部２５は、それぞれ合致する。
【請求項２】
下記の要件を備えて成ることを特徴とする請求項１のプラスチック製の鳩目。
（ケ）雄体１１に設けた環状の平面部１５の一部に環状の溝１７を設けるか、あるいは、雌体２１に設けた環状の平面部２５の一部に環状の溝２７を設けるか、あるいは、雄体１１に設けた環状の平面部１５の一部と雌体２１に設けた環状の平面部２５の一部の双方に環状の溝１７，２７をそれぞれ設ける。
（コ）環状の溝１７に環状の平面部１５より少しはみ出させてゴムパッキン１８を取り付けるか、あるいは、環状の溝２７に環状の平面部２５より少しはみ出させてゴムパッキン２８を取り付けるか、あるいは、環状の溝１７，２７の双方に環状の平面部１５，２５より少しはみ出させて、ゴムパッキン１８，２８をそれぞれ取り付ける。
【請求項３】
下記の要件を備えて成ることを特徴とする請求項１のプラスチック製の鳩目。
（サ）雄体１１に設けた環状の平面部１５の一部に環状の溝１７を設けるか、あるいは、雌体２１に設けた環状の平面部２５の一部に環状の溝２７を設けるか、あるいは、雄体１１に設けた環状の平面部１５の一部と雌体２１に設けた環状の平面部２５の一部の双方に環状の溝１７，２７をそれぞれ設ける。
（シ）環状の溝１７に粘着剤を満たすか、あるいは、環状の溝２７に粘着剤を満たすか、あるいは、環状の溝１７，２７の双方に粘着剤を満たす。
【請求項４】
雄体１１に設けた環状の平面部１５の一部に小突起１９を１以上設けるか、あるいは、雌体２１に設けた環状の平面部２５の一部に小突起２９を１以上設けるか、あるいは、雄体１１に設けた環状の平面部１５の一部と雌体２１に設けた環状の平面部２５の一部の双方に、それぞれ小突起１９，２９を１以上設けた請求項１のプラスチック製の鳩目。
【発明の詳細な説明】
【０００１】
【発明の属する技術分野】
この発明は、プラスチック製の鳩目に関するものである。
【０００２】
【従来の技術】
従来の鳩目は図１に示すように、円筒部１００を設けた金属製が主流で、円筒部１００をカーテンや暖簾などの生地穴に通し、かしめ機などでかしめて生地に固定させていた。
【０００３】
【発明が解決しようとする課題】
これには次のような欠点があった。
（イ）カーテンや暖簾などを製造した場合、それらの製品に針が残っているかどうかを調べるのに検針機を使用する。しかし、カーテンや暖簾などに金属製の鳩目を取り付けると、針も鳩目も金属製なので検針機が反応して調べられない。このため、手作業で残留針を検査することになり、大変な労力と時間を費やしていた。
（ロ）かしめるので１度取り付けると外しにくい。
（ハ）かしめるので、かしめるための道具が必要である。
（ニ）金属製なので錆びてしまい、生地が変色する。
【０００４】
【課題を解決するための手段】
これらの欠点を取り除くために、下記の要件を備えて成ることを特徴とするプラスチック製の鳩目を発明した。
まず、請求項１について説明する。（図４，５，６参照）
（ア）雌体２１と重ね合わせる雄体１１の面側に、環状の平面部１２、環状の凸部１３、環状の平面部１５を設ける。
（イ）環状の凸部１３の先部に環状の膨出部１４を設ける。
（ウ）雄体１１と重ね合わせる雌体２１の面側に、環状の平面部２２、環状の凹部２３、環状の平面部２５を設ける。
（エ）環状の凹部２３の底部に環状の広がり部２４を設ける。
（オ）環状の平面部１５の外縁に１以上の窪み部１６を設けるか、あるいは、環状の平面部２５の外縁に１以上の窪み部２６を設けるか、あるいは、環状の平面部１５の外縁と環状の平面部２５の外縁双方に、それぞれ１以上の窪み部１６，２６を設ける。
（カ）雄体１１が形成する穴３０から雄体１１に設けた環状の平面部１５の外縁方向に、環状の平面部１２、環状の凸部１３、環状の平面部１５、窪み部１６を順に位置させる。
（キ）雌体２１が形成する穴３０から雌体２１に設けた環状の平面部２５の外縁方向に、環状の平面部２２、環状の凹部２３、環状の平面部２５、窪み部２６を順に位置させる。
（ク）環状の平面部１２と環状の平面部２２、環状の凸部１３と環状の凹部２３、環状の平面部１５と環状の平面部２５は、それぞれ合致する。
本発明は、以上のような構成になっている。
【０００５】
次に、請求項２について説明する。（図７，８参照）
（ケ）雄体１１に設けた環状の平面部１５の一部に環状の溝１７を設けるか、あるいは、雌体２１に設けた環状の平面部２５の一部に環状の溝２７を設けるか、あるいは、雄体１１に設けた環状の平面部１５の一部と雌体２１に設けた環状の平面部２５の一部の双方に環状の溝１７，２７をそれぞれ設ける。
（コ）環状の溝１７に環状の平面部１５より少しはみ出させてゴムパッキン１８を取り付けるか、あるいは、環状の溝２７に環状の平面部２５より少しはみ出させてゴムパッキン２８を取り付けるか、あるいは、環状の溝１７，２７の双方に環状の平面部１５，２５より少しはみ出させて、ゴムパッキン１８，２８をそれぞれ取り付ける。
本発明は以上のような構成になっている請求項１のプラスチック製の鳩目である。
【０００６】
次に、請求項３について説明する。（図７，８参照）
（サ）雄体１１に設けた環状の平面部１５の一部に環状の溝１７を設けるか、あるいは、雌体２１に設けた環状の平面部２５の一部に環状の溝２７を設けるか、あるいは、雄体１１に設けた環状の平面部１５の一部と雌体２１に設けた環状の平面部２５の一部の双方に環状の溝１７，２７をそれぞれ設ける。
（シ）環状の溝１７に粘着剤を満たすか、あるいは、環状の溝２７に粘着剤を満たすか、あるいは、環状の溝１７，２７の双方に粘着剤をそれぞれ満たす。
本発明は以上のような構成になっている請求項１のプラスチック製の鳩目である。
【０００７】
次に、請求項４について説明する。（図９，１０参照）
雄体１１に設けた環状の平面部１５の一部に小突起１９を１以上設けるか、あるいは、雌体２１に設けた環状の平面部２５の一部に小突起２９を１以上設けるか、あるいは、雄体１１に設けた環状の平面部１５の一部と雌体２１に設けた環状の平面部２５の一部の双方に、小突起１９，２９をそれぞれ１以上設ける。
本発明は以上のような構成になっている請求項１のプラスチック製の鳩目である。
【０００８】
【発明の実施の形態】
以下、本発明の実施の形態を説明する。
まず、請求項１について説明する。（図４，５，６参照）
雌体２１と重ね合わせる雄体１１の面側に、環状の平面部１２、環状の凸部１３、環状の平面部１５を設ける。
【０００９】
雄体１１と雌体２１を嵌合させるために、環状の凸部１３の先部に環状の膨出部１４を設ける。
【００１０】
雄体１１と重ね合わせる雌体２１の面側に、環状の平面部２２、環状の凹部２３、環状の平面部２５を設ける。
【００１１】
雄体１１と雌体２１を嵌合させるために、環状の凹部２３の底部に環状の広がり部２４を設ける。
【００１２】
嵌合させた雄体１１と雌体２１を分離し易いように、環状の平面部１５の外縁に１以上の窪み部１６を設けるか、あるいは、環状の平面部２５の外縁に１以上の窪み部２６を設けるか、あるいは、環状の平面部１５の外縁と環状の平面部２５の外縁双方に、１以上の窪み部１６，２６をそれぞれ設ける。
【００１３】
雄体１１が形成する穴３０から雄体１１に設けた環状の平面部１５の外縁方向に、環状の平面部１２、環状の凸部１３、環状の平面部１５、窪み部１６を順に位置させる。
【００１４】
雌体２１が形成する穴３０から雌体２１に設けた環状の平面部２５の外縁方向に、環状の平面部２２、環状の凹部２３、環状の平面部２５、窪み部２６を順に位置させる。
【００１５】
環状の平面部１２と環状の平面部２２、環状の凸部１３と環状の凹部２３、環状の平面部１５と環状の平面部２５は、それぞれ合致する。
【００１６】
次に、請求項２について説明する。（図７，８参照）
雄体１１に設けた環状の平面部１５の一部に環状の溝１７を設けるか、あるいは、雌体２１に設けた環状の平面部２５の一部に環状の溝２７を設けるか、あるいは、雄体１１に設けた環状の平面部１５の一部と雌体２１に設けた環状の平面部２５の一部の双方に環状の溝１７，２７をそれぞれ設ける。
【００１７】
嵌合した雄体１１と雌体２１の間に挟んだカーテンや暖簾などの生地が鳩目にしっかりと固定するように、環状の溝１７に環状の平面部１５より少しはみ出させてゴムパッキン１８を取り付けるか、あるいは、環状の溝２７に環状の平面部２５より少しはみ出させてゴムパッキン２８を取り付けるか、あるいは、環状の溝１７，２７の双方に環状の平面部１５，２５より少しはみ出させてゴムパッキン１８，２８をそれぞれ取り付ける。
【００１８】
次に、請求項３について説明する。（図７，８参照）
雄体１１に設けた環状の平面部１５の一部に環状の溝１７を設けるか、あるいは、雌体２１に設けた環状の平面部２５の一部に環状の溝２７を設けるか、あるいは、雄体１１に設けた環状の平面部１５の一部と雌体２１に設けた環状の平面部２５の一部の双方に環状の溝１７，２７をそれぞれ設ける。
【００１９】
嵌合した雄体１１と雌体２１の間に挟んだカーテンや暖簾などの生地が鳩目にしっかりと固定するように、環状の溝１７に粘着剤を満たすか、あるいは、環状の溝２７に粘着剤を満たすか、あるいは、環状の溝１７，２７の双方に粘着剤をそれぞれ満たす。
【００２０】
次に、請求項４について説明する。（図９，１０参照）
嵌合した雄体１１と雌体２１の間に挟んだカーテンや暖簾などの生地が鳩目にしっかりと固定するように、雄体１１に設けた環状の平面部１５の一部に小突起１９を１以上設けるか、あるいは、雌体２１に設けた環状の平面部２５の一部に小突起２９を１以上設けるか、あるいは、雄体１１に設けた環状の平面部１５の一部と雌体２１に設けた環状の平面部２５の一部の双方に、小突起１９，２９をそれぞれ１以上設ける。
【００２１】
【発明の効果】
本発明を使用することによって、次のような効果を生む。
（イ）本発明は金属を使用しない鳩目であるから、カーテンや暖簾などを製造した場合、それらの製品に針が残っているかどうかを調べるのに検針機を使用できるようになる。このため、手作業で残留針を検査することがなくなり、労力と時間を大幅に削減できるとともに、それに伴いコストも大幅に削減できるようになる。
（ロ）窪み部１６，２６に、ヘラ状の硬質物を挿入してこじ開けるだけで、容易に取り外しができる。このため、本発明をいろいろな色や形のもので用意すれば、消費者の好みに合わせて鳩目をいろいろなものに変えられ、インテリアを楽しめるようになる。
（ハ）プラスチック製なので錆びることがなく、生地が変色しにくい。
（ニ）雄体１１と雌体２１を手で嵌合するので、かしめるための道具が不用である。
【図面の簡単な説明】
【図１】従来の鳩目
【図２】本発明の正面図
【図３】本発明の上面図
【図４】本発明（請求項１）のＡ−Ａ′断面図
【図５】本発明（請求項１）の雄体１１のＡ−Ａ′断面図
【図６】本発明（請求項１）の雌体２１のＡ−Ａ′断面図
【図７】本発明（請求項２）の雄体１１のＡ−Ａ′断面図
【図８】本発明（請求項２）の雌体２１のＡ−Ａ′断面図
【図９】本発明（請求項４）の雄体１１のＡ−Ａ′断面図
【図１０】本発明（請求項４）の雌体２１のＡ−Ａ′断面図
【符号の説明】
１１雄体              １２環状の平面部          １３環状の凸部
１４環状の膨出部      １５環状の平面部          １６窪み部
１７環状の溝          １８ゴムパッキン          １９小突起
２１雌体              ２２環状の平面部          ２３環状の凹部
２４環状の広がり部    ２５環状の平面部          ２６窪み部
２７環状の溝          ２８ゴムパッキン          ２９小突起
３０穴                １００円筒部
【図１】
2005007124.tif 000003
【図２】
2005007124.tif 000004
【図３】
2005007124.tif 000005
【図４】
2005007124.tif 000006
【図５】
2005007124.tif 000007
【図６】
2005007124.tif 000008
【図７】
2005007124.tif 000009
【図８】
2005007124.tif 000010
【図９】
2005007124.tif 000011
【図１０】
2005007124.tif 000012